(57)【要約】      （修正有）【課題】反応が速く、操作が簡単でわかりやすく、警報を出す時に安全で信頼でき、同時に、スペースを取らず、補修が簡単で、実用性が強い車載警報装置を提供する。【解決手段】車載警報装置は、外殻１３を含み、外殻１３の底壁に設置され、下方に開口した第一空きチャンバ３４と、第一空きチャンバ３４の左右端壁の中に対称的に設置された第一スライド溝３３と、第一スライド溝３３の中にスライドできるように設置された挟み板３１と、を備える。【選択図】図１
2020181549.tif 000002
【特許請求の範囲】
【請求項１】
正面視で、外殻を含み、前記外殻の底壁には下方に開口した第一空きチャンバが設置され、前記第一空きチャンバの左右端壁の中には第一スライド溝が対称的に設置され、前記第一スライド溝の中には挟み板がスライドできるように設置され、前記第一スライド溝と前記挟み板の端面との間には第一ばねが固定的に連結され、両端の前記挟み板に前記第一空きチャンバの中に挿入される自動車変速レバーを挟めるように設置することができ、前記外殻の頂壁の中には上方に開口したスライドチャンバが設置され、前記スライドチャンバの底壁の中には第二空きチャンバが設置され、前記第二空きチャンバと前記スライドチャンバとの間には第二スライド溝が連通するように設置され、前記第二スライド溝の中には上下に伸びている第一スライドロッドがスライドできるように設置され、前記第一スライドロッドの頂端には前記スライドチャンバの中でスライドする押しブロックが固定的に設置され、前記押しブロックと前記スライドチャンバの底壁との間には第二ばねが連結され、前記第一スライドロッドの底端には前記第二空きチャンバの中でスライドするピストンが固定的に設置され、前記第二空きチャンバの右端壁には右方に開口した通気溝が連通するように設置され、前記通気溝の中には第一空気弁が設置され、前記第二空きチャンバの中には車載香水が設置され、前記第二空きチャンバの左端壁の中には蓄電池が設置され、前記蓄電池の底壁の中には通水溝が連通するように設置され、前記通水溝と前記第二空きチャンバとの間にはＵ型溝が連通するように設置され、前記通水溝の底壁の中には継電器が設置され、前記蓄電池と前記通水溝との間には第一導線が通電できるように連結され、前記通水溝と前記継電器との間には第二導線が通電できるように連結され、前記外殻の左端壁の中には第一プッシュスイッチが設置され、前記第一プッシュスイッチの底壁の中には第三空きチャンバが設置され、前記第三空きチャンバの頂壁には電熱線が固定的に設置され、前記第三空きチャンバの左端壁には前記外殻の外側に連通している第二空気弁が設置され、前記第三空きチャンバの中には麻酔薬があり、前記第一プッシュスイッチと前記継電器との間には第三導線が通電できるように連結され、前記電熱線と前記第一プッシュスイッチとの間には第四導線が通電できるように連結され、
従って、前記ピストンが前記車載香水を前記通水溝の中に押して誘電体とさせ、前記第一プッシュスイッチを押して前記電熱線を通電させることを特徴とする車載警報装置。
【請求項２】
前記第二空きチャンバの底壁の中には第四空きチャンバが設置され、前記第四空きチャンバと前記第二空きチャンバとの間には第三スライド溝が連通するように設置され、前記第三スライド溝の中には上下に伸びている第二スライドロッドがスライドできるように設置され、前記第二スライドロッドの左端にはラックが固定的に設置され、前記第三スライド溝の右端壁には第四スライド溝が連通するように設置され、前記第四スライド溝の中には前記第二スライドロッドと固定されている第一スライドブロックがスライドできるように設置され、前記第一スライドブロックと前記第四スライド溝の底壁との間には第三ばねが連結され、前記第四空きチャンバの中には回転軸が回転できるように設置され、前記回転軸には前記ラックと噛み合っているギヤ及び前記ギヤの前側に位置しているカムが固定的に設置され、前記第四空きチャンバの左端壁の中には第二プッシュスイッチが設置され、前記第二プッシュスイッチの左端にはＧＰＳ警報器が通電できるように連結され、
それにより前記ラックが前記ギヤと協働されて前記カムを回転連動させ、前記カムが前記第二プッシュスイッチを押して前記ＧＰＳ警報器を始動することができることを特徴とする請求項１に記載の車載警報装置。
【請求項３】
前記第二空きチャンバの底端には第五スライド溝が連通するように設置され、前記第五スライド溝の中には押出ロッドがスライドできるように設置され、前記押出ロッドの頂端には浮力ボールが固定的に設置され、前記第五スライド溝の右端壁には第六スライド溝が連通するように設置され、前記第六スライド溝の中には前記押出ロッドと固定されている第二スライドブロックがスライドできるように設置され、前記第二スライドブロックと前記第六スライド溝の底壁との間には第四ばねが連結され、前記第五スライド溝の底壁の中にはノーマルオープンスイッチが設置され、前記外殻の右端壁の中には指示灯が設置され、前記指示灯と前記ノーマルオープンスイッチとの間には第五導線が通電できるように連結され、前記蓄電池と前記ノーマルオープンスイッチとの間には第六導線が通電できるように連結され、
それにより、前記押出ロッドが下へスライドして前記ノーマルオープンスイッチを押し、前記ノーマルオープンスイッチが前記第六導線と前記第五導線とを通電させ、前記指示灯が通電して光ることを特徴とする請求項１に記載の車載警報装置。
【発明の詳細な説明】
【技術分野】
【０００１】
本発明は自動車警報分野に関わり、具体的には車載警報装置である。
【背景技術】
【０００２】
自動車警報装置は普段使用されなく、その使用回数が少なく、伝統の警報器を利用して警報を出す時、その動きが悪人に見抜かれやすく、命の安全を脅かし、同時に伝統の警報器は警報を出すことだけができ、警報を出した後で警察が来るまでの間には何も他の作用を持っていない。従って、上記の問題を解決するため、車載警報装置を設計する必要がある。
【先行技術文献】
【特許文献】
【０００３】
【特許文献１】中国特許出願公開第１０９０２９５８３号明細書
【発明の概要】
【発明が解決しようとする課題】
【０００４】
本発明は解決しようとする技術問題は車載警報装置を提供し、既存技術にある上記問題を解決するのである。
【課題を解決するための手段】
【０００５】
本発明は以下の技術プランにより実現される：本発明の車載警報装置は、外殻を含み、前記外殻の底壁には下方に開口した第一空きチャンバが設置され、前記第一空きチャンバの左右端壁の中には第一スライド溝が対称的に設置され、前記第一スライド溝の中には挟み板がスライドできるように設置され、前記第一スライド溝と前記挟み板の端面との間には第一ばねが固定的に連結され、両端の前記挟み板に前記第一空きチャンバの中に挿入される自動車変速レバーを挟めるように設置することができ、前記外殻の頂壁の中には上方に開口したスライドチャンバが設置され、前記スライドチャンバの底壁の中には第二空きチャンバが設置され、前記第二空きチャンバと前記スライドチャンバとの間には第二スライド溝が連通するように設置され、前記第二スライド溝の中には上下に伸びている第一スライドロッドがスライドできるように設置され、前記第一スライドロッドの頂端には前記スライドチャンバの中でスライドする押しブロックが固定的に設置され、前記押しブロックと前記スライドチャンバの底壁との間には第二ばねが連結され、前記第一スライドロッドの底端には前記第二空きチャンバの中でスライドするピストンが固定的に設置され、前記第二空きチャンバの右端壁には右方に開口した通気溝が連通するように設置され、前記通気溝の中には第一空気弁が設置され、前記第二空きチャンバの中には車載香水が設置され、前記第二空きチャンバの左端壁の中には蓄電池が設置され、前記蓄電池の底壁の中には通水溝が連通するように設置され、前記通水溝と前記第二空きチャンバとの間にはＵ型溝が連通するように設置され、前記通水溝の底壁の中には継電器が設置され、前記蓄電池と前記通水溝との間には第一導線が通電できるように連結され、前記通水溝と前記継電器との間には第二導線が通電できるように連結され、前記外殻の左端壁の中には第一プッシュスイッチが設置され、前記第一プッシュスイッチの底壁の中には第三空きチャンバが設置され、前記第三空きチャンバの頂壁には電熱線が固定的に設置され、前記第三空きチャンバの左端壁には前記外殻の外側に連通している第二空気弁が設置され、前記第三空きチャンバの中には麻酔薬があり、前記第一プッシュスイッチと前記継電器との間には第三導線が通電できるように連結され、前記電熱線と前記第一プッシュスイッチとの間には第四導線が通電できるように連結され、
従って、前記ピストンが前記車載香水を前記通水溝の中に押して誘電体とさせ、前記第一プッシュスイッチを押して前記電熱線を通電させる。
【０００６】
好ましくは、前記第二空きチャンバの底壁の中には第四空きチャンバが設置され、前記第四空きチャンバと前記第二空きチャンバとの間には第三スライド溝が連通するように設置され、前記第三スライド溝の中には上下に伸びている第二スライドロッドがスライドできるように設置され、前記第二スライドロッドの左端にはラックが固定的に設置され、前記第三スライド溝の右端壁には第四スライド溝が連通するように設置され、前記第四スライド溝の中には前記第二スライドロッドと固定されている第一スライドブロックがスライドできるように設置され、前記第一スライドブロックと前記第四スライド溝の底壁との間には第三ばねが連結され、前記第四空きチャンバの中には回転軸が回転できるように設置され、前記回転軸には前記ラックと噛み合っているギヤ及び前記ギヤの前側に位置しているカムが固定的に設置され、前記第四空きチャンバの左端壁の中には第二プッシュスイッチが設置され、前記第二プッシュスイッチの左端にはＧＰＳ警報器が通電できるように連結され、
それにより前記ラックが前記ギヤと協働されて前記カムを回転連動させ、前記カムが前記第二プッシュスイッチを押して前記ＧＰＳ警報器を始動する。
【０００７】
好ましくは、前記第二空きチャンバの底端には第五スライド溝が連通するように設置され、前記第五スライド溝の中には押出ロッドがスライドできるように設置され、前記押出ロッドの頂端には浮力ボールが固定的に設置され、前記第五スライド溝の右端壁には第六スライド溝が連通するように設置され、前記第六スライド溝の中には前記押出ロッドと固定されている第二スライドブロックがスライドできるように設置され、前記第二スライドブロックと前記第六スライド溝の底壁との間には第四ばねが連結され、前記第五スライド溝の底壁の中にはノーマルオープンスイッチが設置され、前記外殻の右端壁の中には指示灯が設置され、前記指示灯と前記ノーマルオープンスイッチとの間には第五導線が通電できるように連結され、前記蓄電池と前記ノーマルオープンスイッチとの間には第六導線が通電できるように連結され、
それにより、前記押出ロッドが下へスライドして前記ノーマルオープンスイッチを押し、前記ノーマルオープンスイッチが前記第六導線と前記第五導線とを通電させ、前記指示灯が通電して光る。
【発明の効果】
【０００８】
以上により、本発明の車載警報装置は反応が速く、操作が簡単でわかりやすく、警報を出す時に安全で信頼でき、同時に、本発明装置はあまりスペースを取らなく、補修が簡単で、実用性が強い。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の車載警報装置の全体構成概略図
【図２】図２は図１のＡの拡大構成概略図
【図３】図３は図１のＢの拡大構成概略図
【図４】図４は図１の中の下面図
【図５】図５は図１の中のＣの拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜５に示すように、本発明の車載警報装置は、外殻１３を含み、前記外殻１３の底壁には下方に開口した第一空きチャンバ３４が設置され、前記第一空きチャンバ３４の左右端壁の中には第一スライド溝３３が対称的に設置され、前記第一スライド溝３３の中には挟み板３１がスライドできるように設置され、前記第一スライド溝３３と前記挟み板３１の端面との間には第一ばね３２が固定的に連結され、両端の前記挟み板３１に前記第一空きチャンバ３４の中に挿入される自動車変速レバー３０を挟めるように設置することができ、前記外殻１３の頂壁の中には上方に開口したスライドチャンバ１２が設置され、前記スライドチャンバ１２の底壁の中には第二空きチャンバ３６が設置され、前記第二空きチャンバ３６と前記スライドチャンバ１２との間には第二スライド溝４０が連通するように設置され、前記第二スライド溝４０の中には上下に伸びている第一スライドロッド３９がスライドできるように設置され、前記第一スライドロッド３９の頂端には前記スライドチャンバ１２の中でスライドする押しブロック１０が固定的に設置され、前記押しブロック１０と前記スライドチャンバ１２の底壁との間には第二ばね１１が連結され、前記第一スライドロッド３９の底端には前記第二空きチャンバ３６の中でスライドするピストン３７が固定的に設置され、前記第二空きチャンバ３６の右端壁には右方に開口した通気溝６１が連通するように設置され、前記通気溝６１の中には第一空気弁６０が設置され、前記第二空きチャンバ３６の中には車載香水３５が設置され、前記第二空きチャンバ３６の左端壁の中には蓄電池１４が設置され、前記蓄電池１４の底壁の中には通水溝１７が連通するように設置され、前記通水溝１７と前記第二空きチャンバ３６との間にはＵ型溝２３が連通するように設置され、前記通水溝１７の底壁の中には継電器２０が設置され、前記蓄電池１４と前記通水溝１７との間には第一導線１６が通電できるように連結され、前記通水溝１７と前記継電器２０との間には第二導線２１が通電できるように連結され、前記外殻１３の左端壁の中には第一プッシュスイッチ１８が設置され、前記第一プッシュスイッチ１８の底壁の中には第三空きチャンバ２６が設置され、前記第三空きチャンバ２６の頂壁には電熱線２５が固定的に設置され、前記第三空きチャンバ２６の左端壁には前記外殻１３の外側に連通している第二空気弁２４が設置され、前記第三空きチャンバ２６の中には麻酔薬２７があり、前記第一プッシュスイッチ１８と前記継電器２０との間には第三導線１９が通電できるように連結され、前記電熱線２５と前記第一プッシュスイッチ１８との間には第四導線２２が通電できるように連結され、
従って、前記ピストン３７が前記車載香水３５を前記通水溝１７の中に押して誘電体とさせ、前記第一プッシュスイッチ１８を押して前記電熱線２５を通電させる。
【００１３】
有益なように、前記第二空きチャンバ３６の底壁の中には第四空きチャンバ４４が設置され、前記第四空きチャンバ４４と前記第二空きチャンバ３６との間には第三スライド溝４２が連通するように設置され、前記第三スライド溝４２の中には上下に伸びている第二スライドロッド４１がスライドできるように設置され、前記第二スライドロッド４１の左端にはラック４３が固定的に設置され、前記第三スライド溝４２の右端壁には第四スライド溝４８が連通するように設置され、前記第四スライド溝４８の中には前記第二スライドロッド４１と固定されている第一スライドブロック５０がスライドできるように設置され、前記第一スライドブロック５０と前記第四スライド溝４８の底壁との間には第三ばね４９が連結され、前記第四空きチャンバ４４の中には回転軸４７が回転できるように設置され、前記回転軸４７には前記ラック４３と噛み合っているギヤ４６及び前記ギヤ４６の前側に位置しているカム４５が固定的に設置され、前記第四空きチャンバ４４の左端壁の中には第二プッシュスイッチ２９が設置され、前記第二プッシュスイッチ２９の左端にはＧＰＳ警報器２８が通電できるように連結され、
それにより前記ラック４３が前記ギヤ４６と協働されて前記カム４５を回転連動させ、前記カム４５が前記第二プッシュスイッチ２９を押して前記ＧＰＳ警報器２８を始動する。
【００１４】
有益なように、前記第二空きチャンバ３６の底端には第五スライド溝５３が連通するように設置され、前記第五スライド溝５３の中には押出ロッド５２がスライドできるように設置され、前記押出ロッド５２の頂端には浮力ボール５１が固定的に設置され、前記第五スライド溝５３の右端壁には第六スライド溝５７が連通するように設置され、前記第六スライド溝５７の中には前記押出ロッド５２と固定されている第二スライドブロック５９がスライドできるように設置され、前記第二スライドブロック５９と前記第六スライド溝５７の底壁との間には第四ばね５８が連結され、前記第五スライド溝５３の底壁の中にはノーマルオープンスイッチ５４が設置され、前記外殻１３の右端壁の中には指示灯５５が設置され、前記指示灯５５と前記ノーマルオープンスイッチ５４との間には第五導線５６が通電できるように連結され、前記蓄電池１４と前記ノーマルオープンスイッチ５４との間には第六導線１５が通電できるように連結され、
それにより、前記押出ロッド５２が下へスライドして前記ノーマルオープンスイッチ５４を押し、前記ノーマルオープンスイッチ５４が前記第六導線１５と前記第五導線５６とを通電させ、前記指示灯５５が通電して光る。
【００１５】
以下、出願人は附図及び上記の本出願の車載警報装置の具体的な構成を参考してその使用方法を詳しく紹介する：
【００１６】
警報を出さない時、第二空きチャンバ３６の中の車載香水３５の香りを通気溝６１により放ち、車内の変なにおいをカバーし、それにより車内の空気に香りを拡散する。
【００１７】
警報を出す時、運転手は悪人に命を脅かされて広範囲の動作を行えないので、自動車変速レバー３０を使用するふりをし、押しブロック１０を押す同時に通水溝１７を押し、押しブロック１０がピストン３７を下へスライドさせ、車載香水３５がＵ型溝２３により通水溝１７の中に押され、通水溝１７に液体がいっぱいになった後に第一導線１６と第二導線２１に微電流を導入し、継電器２０を起動し、継電器２０が大電流を第三導線１９の中に導き、第一プッシュスイッチ１８も同時に押されることにより、第三空きチャンバ２６の中に通電しており、第三空きチャンバ２６が継続して加熱され、麻酔薬２７が高温の影響を受けて揮発し、第二空気弁２４により車内の空間に発散し、車内には車載香水３５の香りが依然として存在していることで、悪人が何気なく揮発した麻酔薬２７を吸い込んで力がなくなり、それにより運転手が被害に遭うリスクを減少する。
【００１８】
同時にピストン３７が第二スライドロッド４１を押し、第二スライドロッド４１がラック４３を連動させて下へスライドさせ、ラック４３がギヤ４６とカム４５を回転連動させ、カム４５が第二プッシュスイッチ２９を押し、第二プッシュスイッチ２９がＧＰＳ警報器２８を始動し、ＧＰＳ測位を行って警報を出し、警察が着いた時、揮発した麻酔薬２７の作用の下で、悪人を拘留しやすく、激烈な衝突を回避できる。
【００１９】
車載香水３５が大体揮発した後、浮力ボール５１の浮力が減少し、押出ロッド５２が下へスライドしてノーマルオープンスイッチ５４を押し、ノーマルオープンスイッチ５４を通して第五導線５６と第六導線１５とが通電できるように連結された後、指示灯５５が通電して光り、香水を切り替える意味を示し、供給業者を指定して香水を切り替えると同時に警報装置に定期検査を行うことができ、一石二鳥である。
【００２０】
以上により、本発明の車載警報装置は反応が速く、操作が簡単でわかりやすく、警報を出す時に安全で信頼でき、同時に、本発明装置はあまりスペースを取らなく、補修が簡単で、実用性が強い。
【００２１】
以上に述べたことは、ただ発明の具体的な実施方式であり、発明の保護範囲はこれに限定されるものではなく、創造的な労働を通さない場合で想到できるすべての変化または入れ替わりはいずれも発明の保護範囲に含むべきである。
【図１】
2020181549.tif 000003
【図２】
2020181549.tif 000004
【図３】
2020181549.tif 000005
【図４】
2020181549.tif 000006
【図５】
2020181549.tif 000007
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
正面視で、外殻を含み、前記外殻の底壁には下方に開口した第一空きチャンバが設置され、前記第一空きチャンバの左右端壁の中には第一スライド空間が対称的に設置され、前記第一スライド空間の中には挟み板がスライドできるように設置され、前記第一スライド空間と前記挟み板の端面との間には第一ばねが固定的に連結され、前記挟み板には前記第一空きチャンバの中に挿入される自動車変速レバーを挟めるように設置することができ、前記外殻の頂壁の中には上方に開口したスライドチャンバが設置され、前記スライドチャンバの底壁の中には第二空きチャンバが設置され、前記第二空きチャンバと前記スライドチャンバとの間には第二スライド空間が連通するように設置され、前記第二スライド空間の中には上下に伸びている第一スライドロッドがスライドできるように設置され、前記第一スライドロッドの頂端には前記スライドチャンバの中でスライドする押しブロックが固定的に設置され、前記押しブロックと前記スライドチャンバの底壁との間には第二ばねが連結され、前記第一スライドロッドの底端には前記第二空きチャンバの中でスライドするピストンが固定的に設置され、前記第二空きチャンバの右端壁には右方に開口した通気空間が連通するように設置され、前記通気空間の中には第一空気弁が設置され、前記第二空きチャンバの中には車載香水が設置され、前記第二空きチャンバの左端壁の中には蓄電池が設置され、前記蓄電池の底壁の中には通水空間が連通するように設置され、前記通水空間と前記第二空きチャンバとの間にはＵ型空間が連通するように設置され、前記通水空間の底壁の中には継電器が設置され、前記蓄電池と前記通水空間との間には第一導線が通電できるように連結され、前記通水空間と前記継電器との間には第二導線が通電できるように連結され、前記外殻の左端壁の中には第一プッシュスイッチが設置され、前記第一プッシュスイッチの底壁の中には第三空きチャンバが設置され、前記第三空きチャンバの頂壁には電熱線が固定的に設置され、前記第三空きチャンバの左端壁には前記外殻の外側に連通している第二空気弁が設置され、前記第三空きチャンバの中には麻酔薬があり、前記第一プッシュスイッチと前記継電器との間には第三導線が通電できるように連結され、前記電熱線と前記第一プッシュスイッチとの間には第四導線が通電できるように連結されており、
前記第二空きチャンバの底壁の中には第四空きチャンバが設置され、前記第四空きチャンバと前記第二空きチャンバとの間には第三スライド空間が連通するように設置され、前記第三スライド空間の中には上下に伸びている第二スライドロッドがスライドできるように設置され、前記第二スライドロッドの左端にはラックが固定的に設置され、前記第三スライド空間の右端壁には第四スライド空間が連通するように設置され、前記第四スライド空間の中には前記第二スライドロッドと固定されている第一スライドブロックがスライドできるように設置され、前記第一スライドブロックと前記第四スライド空間の底壁との間には第三ばねが連結され、前記第四空きチャンバの中には回転軸が回転できるように設置され、前記回転軸には前記ラックと噛み合っているギヤ及び前記ギヤの前側に位置しているカムが固定的に設置され、前記第四空きチャンバの左端壁の中には第二プッシュスイッチが設置され、前記第二プッシュスイッチの左端にはＧＰＳ警報器が通電できるように連結され、
それにより前記ラックが前記ギヤと協働されて前記カムを回転連動させ、前記カムが前記第二プッシュスイッチを押して前記ＧＰＳ警報器を始動することができ、
前記第二空きチャンバの底端には第五スライド空間が連通するように設置され、前記第五スライド空間の中には押出ロッドがスライドできるように設置され、前記押出ロッドの頂端には浮力ボールが固定的に設置され、前記第五スライド空間の右端壁には第六スライド空間が連通するように設置され、前記第六スライド空間の中には前記押出ロッドと固定されている第二スライドブロックがスライドできるように設置され、前記第二スライドブロックと前記第六スライド空間の底壁との間には第四ばねが連結され、前記第五スライド空間の底壁の中にはノーマルオープンスイッチが設置され、前記外殻の右端壁の中には指示灯が設置され、前記指示灯と前記ノーマルオープンスイッチとの間には第五導線が通電できるように連結され、前記蓄電池と前記ノーマルオープンスイッチとの間には第六導線が通電できるように連結され、
それにより、前記押出ロッドが下へスライドして前記ノーマルオープンスイッチを押し、前記ノーマルオープンスイッチが前記第六導線と前記第五導線とを通電させ、前記指示灯が通電して光ることを特徴とする車載警報装置。
【手続補正２】
【補正対象書類名】明細書
【補正対象項目名】全文
【補正方法】変更
【補正の内容】
【発明の詳細な説明】
【技術分野】
【０００１】
本発明は自動車警報分野に関わり、具体的には車載警報装置である。
【背景技術】
【０００２】
自動車警報装置は普段使用されなく、その使用回数が少なく、伝統の警報器を利用して警報を出す時、その動きが悪人に見抜かれやすく、命の安全を脅かし、同時に伝統の警報器は警報を出すことだけができ、警報を出した後で警察が来るまでの間には何も他の作用を持っていない。従って、上記の問題を解決するため、車載警報装置を設計する必要がある。
【先行技術文献】
【特許文献】
【０００３】
【特許文献１】中国特許出願公開第１０９０２９５８３号明細書
【発明の概要】
【発明が解決しようとする課題】
【０００４】
本発明は解決しようとする技術問題は車載警報装置を提供し、既存技術にある上記問題を解決するのである。
【課題を解決するための手段】
【０００５】
本発明は以下の技術プランにより実現される：本発明の車載警報装置は、外殻を含み、前記外殻の底壁には下方に開口した第一空きチャンバが設置され、前記第一空きチャンバの左右端壁の中には第一スライド空間が対称的に設置され、前記第一スライド空間の中には挟み板がスライドできるように設置され、前記第一スライド空間と前記挟み板の端面との間には第一ばねが固定的に連結され、前記挟み板には前記第一空きチャンバの中に挿入される自動車変速レバーを挟めるように設置することができ、前記外殻の頂壁の中には上方に開口したスライドチャンバが設置され、前記スライドチャンバの底壁の中には第二空きチャンバが設置され、前記第二空きチャンバと前記スライドチャンバとの間には第二スライド空間が連通するように設置され、前記第二スライド空間の中には上下に伸びている第一スライドロッドがスライドできるように設置され、前記第一スライドロッドの頂端には前記スライドチャンバの中でスライドする押しブロックが固定的に設置され、前記押しブロックと前記スライドチャンバの底壁との間には第二ばねが連結され、前記第一スライドロッドの底端には前記第二空きチャンバの中でスライドするピストンが固定的に設置され、前記第二空きチャンバの右端壁には右方に開口した通気空間が連通するように設置され、前記通気空間の中には第一空気弁が設置され、前記第二空きチャンバの中には車載香水が設置され、前記第二空きチャンバの左端壁の中には蓄電池が設置され、前記蓄電池の底壁の中には通水空間が連通するように設置され、前記通水空間と前記第二空きチャンバとの間にはＵ型空間が連通するように設置され、前記通水空間の底壁の中には継電器が設置され、前記蓄電池と前記通水空間との間には第一導線が通電できるように連結され、前記通水空間と前記継電器との間には第二導線が通電できるように連結され、前記外殻の左端壁の中には第一プッシュスイッチが設置され、前記第一プッシュスイッチの底壁の中には第三空きチャンバが設置され、前記第三空きチャンバの頂壁には電熱線が固定的に設置され、前記第三空きチャンバの左端壁には前記外殻の外側に連通している第二空気弁が設置され、前記第三空きチャンバの中には麻酔薬があり、前記第一プッシュスイッチと前記継電器との間には第三導線が通電できるように連結され、前記電熱線と前記第一プッシュスイッチとの間には第四導線が通電できるように連結される。
【０００６】
好ましくは、前記第二空きチャンバの底壁の中には第四空きチャンバが設置され、前記第四空きチャンバと前記第二空きチャンバとの間には第三スライド空間が連通するように設置され、前記第三スライド空間の中には上下に伸びている第二スライドロッドがスライドできるように設置され、前記第二スライドロッドの左端にはラックが固定的に設置され、前記第三スライド空間の右端壁には第四スライド空間が連通するように設置され、前記第四スライド空間の中には前記第二スライドロッドと固定されている第一スライドブロックがスライドできるように設置され、前記第一スライドブロックと前記第四スライド空間の底壁との間には第三ばねが連結され、前記第四空きチャンバの中には回転軸が回転できるように設置され、前記回転軸には前記ラックと噛み合っているギヤ及び前記ギヤの前側に位置しているカムが固定的に設置され、前記第四空きチャンバの左端壁の中には第二プッシュスイッチが設置され、前記第二プッシュスイッチの左端にはＧＰＳ警報器が通電できるように連結され、
それにより前記ラックが前記ギヤと協働されて前記カムを回転連動させ、前記カムが前記第二プッシュスイッチを押して前記ＧＰＳ警報器を始動する。
【０００７】
好ましくは、前記第二空きチャンバの底端には第五スライド空間が連通するように設置され、前記第五スライド空間の中には押出ロッドがスライドできるように設置され、前記押出ロッドの頂端には浮力ボールが固定的に設置され、前記第五スライド空間の右端壁には第六スライド空間が連通するように設置され、前記第六スライド空間の中には前記押出ロッドと固定されている第二スライドブロックがスライドできるように設置され、前記第二スライドブロックと前記第六スライド空間の底壁との間には第四ばねが連結され、前記第五スライド空間の底壁の中にはノーマルオープンスイッチが設置され、前記外殻の右端壁の中には指示灯が設置され、前記指示灯と前記ノーマルオープンスイッチとの間には第五導線が通電できるように連結され、前記蓄電池と前記ノーマルオープンスイッチとの間には第六導線が通電できるように連結され、
それにより、前記押出ロッドが下へスライドして前記ノーマルオープンスイッチを押し、前記ノーマルオープンスイッチが前記第六導線と前記第五導線とを通電させ、前記指示灯が通電して光る。
【発明の効果】
【０００８】
以上により、本発明の車載警報装置は反応が速く、操作が簡単でわかりやすく、警報を出す時に安全で信頼でき、同時に、本発明装置はあまりスペースを取らなく、補修が簡単で、実用性が強い。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の車載警報装置の全体構成概略図
【図２】図２は図１のＡの拡大構成概略図
【図３】図３は図１のＢの拡大構成概略図
【図４】図４は図１の中の下面図
【図５】図５は図１の中のＣの拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜５に示すように、本発明の車載警報装置は、外殻１３を含み、前記外殻１３の底壁には下方に開口した第一空きチャンバ３４が設置され、前記第一空きチャンバ３４の左右端壁の中には第一スライド空間３３が対称的に設置され、前記第一スライド空間３３の中には挟み板３１がスライドできるように設置され、前記第一スライド空間３３と前記挟み板３１の端面との間には第一ばね３２が固定的に連結され、前記挟み板３１には前記第一空きチャンバ３４の中に挿入される自動車変速レバー３０を挟めるように設置することができ、前記外殻１３の頂壁の中には上方に開口したスライドチャンバ１２が設置され、前記スライドチャンバ１２の底壁の中には第二空きチャンバ３６が設置され、前記第二空きチャンバ３６と前記スライドチャンバ１２との間には第二スライド空間４０が連通するように設置され、前記第二スライド空間４０の中には上下に伸びている第一スライドロッド３９がスライドできるように設置され、前記第一スライドロッド３９の頂端には前記スライドチャンバ１２の中でスライドする押しブロック１０が固定的に設置され、前記押しブロック１０と前記スライドチャンバ１２の底壁との間には第二ばね１１が連結され、前記第一スライドロッド３９の底端には前記第二空きチャンバ３６の中でスライドするピストン３７が固定的に設置され、前記第二空きチャンバ３６の右端壁には右方に開口した通気空間６１が連通するように設置され、前記通気空間６１の中には第一空気弁６０が設置され、前記第二空きチャンバ３６の中には車載香水３５が設置され、前記第二空きチャンバ３６の左端壁の中には蓄電池１４が設置され、前記蓄電池１４の底壁の中には通水空間１７が連通するように設置され、前記通水空間１７と前記第二空きチャンバ３６との間にはＵ型空間２３が連通するように設置され、前記通水空間１７の底壁の中には継電器２０が設置され、前記蓄電池１４と前記通水空間１７との間には第一導線１６が通電できるように連結され、前記通水空間１７と前記継電器２０との間には第二導線２１が通電できるように連結され、前記外殻１３の左端壁の中には第一プッシュスイッチ１８が設置され、前記第一プッシュスイッチ１８の底壁の中には第三空きチャンバ２６が設置され、前記第三空きチャンバ２６の頂壁には電熱線２５が固定的に設置され、前記第三空きチャンバ２６の左端壁には前記外殻１３の外側に連通している第二空気弁２４が設置され、前記第三空きチャンバ２６の中には麻酔薬２７があり、前記第一プッシュスイッチ１８と前記継電器２０との間には第三導線１９が通電できるように連結され、前記電熱線２５と前記第一プッシュスイッチ１８との間には第四導線２２が通電できるように連結される。
【００１３】
有益なように、前記第二空きチャンバ３６の底壁の中には第四空きチャンバ４４が設置され、前記第四空きチャンバ４４と前記第二空きチャンバ３６との間には第三スライド空間４２が連通するように設置され、前記第三スライド空間４２の中には上下に伸びている第二スライドロッド４１がスライドできるように設置され、前記第二スライドロッド４１の左端にはラック４３が固定的に設置され、前記第三スライド空間４２の右端壁には第四スライド空間４８が連通するように設置され、前記第四スライド空間４８の中には前記第二スライドロッド４１と固定されている第一スライドブロック５０がスライドできるように設置され、前記第一スライドブロック５０と前記第四スライド空間４８の底壁との間には第三ばね４９が連結され、前記第四空きチャンバ４４の中には回転軸４７が回転できるように設置され、前記回転軸４７には前記ラック４３と噛み合っているギヤ４６及び前記ギヤ４６の前側に位置しているカム４５が固定的に設置され、前記第四空きチャンバ４４の左端壁の中には第二プッシュスイッチ２９が設置され、前記第二プッシュスイッチ２９の左端にはＧＰＳ警報器２８が通電できるように連結され、
それにより前記ラック４３が前記ギヤ４６と協働されて前記カム４５を回転連動させ、前記カム４５が前記第二プッシュスイッチ２９を押して前記ＧＰＳ警報器２８を始動する。
【００１４】
有益なように、前記第二空きチャンバ３６の底端には第五スライド空間５３が連通するように設置され、前記第五スライド空間５３の中には押出ロッド５２がスライドできるように設置され、前記押出ロッド５２の頂端には浮力ボール５１が固定的に設置され、前記第五スライド空間５３の右端壁には第六スライド空間５７が連通するように設置され、前記第六スライド空間５７の中には前記押出ロッド５２と固定されている第二スライドブロック５９がスライドできるように設置され、前記第二スライドブロック５９と前記第六スライド空間５７の底壁との間には第四ばね５８が連結され、前記第五スライド空間５３の底壁の中にはノーマルオープンスイッチ５４が設置され、前記外殻１３の右端壁の中には指示灯５５が設置され、前記指示灯５５と前記ノーマルオープンスイッチ５４との間には第五導線５６が通電できるように連結され、前記蓄電池１４と前記ノーマルオープンスイッチ５４との間には第六導線１５が通電できるように連結され、
それにより、前記押出ロッド５２が下へスライドして前記ノーマルオープンスイッチ５４を押し、前記ノーマルオープンスイッチ５４が前記第六導線１５と前記第五導線５６とを通電させ、前記指示灯５５が通電して光る。
【００１５】
以下、出願人は附図及び上記の本出願の車載警報装置の具体的な構成を参考してその使用方法を詳しく紹介する：
【００１６】
警報を出さない時、第二空きチャンバ３６の中の車載香水３５の香りを通気空間６１により放ち、車内の変なにおいをカバーし、それにより車内の空気に香りを拡散する。
【００１７】
警報を出す時、運転手は悪人に命を脅かされて広範囲の動作を行えないので、自動車変速レバー３０を使用するふりをし、押しブロック１０を押す同時に通水空間１７を押し、押しブロック１０がピストン３７を下へスライドさせ、車載香水３５がＵ型空間２３により通水空間１７の中に押され、通水空間１７に液体がいっぱいになった後に第一導線１６と第二導線２１に微電流を導入し、継電器２０を起動し、継電器２０が大電流を第三導線１９の中に導き、第一プッシュスイッチ１８も同時に押されることにより、第三空きチャンバ２６の中に通電しており、第三空きチャンバ２６が継続して加熱され、麻酔薬２７が高温の影響を受けて揮発し、第二空気弁２４により車内の空間に発散し、車内には車載香水３５の香りが依然として存在していることで、悪人が何気なく揮発した麻酔薬２７を吸い込んで力がなくなり、それにより運転手が被害に遭うリスクを減少する。
【００１８】
同時にピストン３７が第二スライドロッド４１を押し、第二スライドロッド４１がラック４３を連動させて下へスライドさせ、ラック４３がギヤ４６とカム４５を回転連動させ、カム４５が第二プッシュスイッチ２９を押し、第二プッシュスイッチ２９がＧＰＳ警報器２８を始動し、ＧＰＳ測位を行って警報を出し、警察が着いた時、揮発した麻酔薬２７の作用の下で、悪人を拘留しやすく、激烈な衝突を回避できる。
【００１９】
車載香水３５が大体揮発した後、浮力ボール５１の浮力が減少し、押出ロッド５２が下へスライドしてノーマルオープンスイッチ５４を押し、ノーマルオープンスイッチ５４を通して第五導線５６と第六導線１５とが通電できるように連結された後、指示灯５５が通電して光り、香水を切り替える意味を示し、供給業者を指定して香水を切り替えると同時に警報装置に定期検査を行うことができ、一石二鳥である。
【００２０】
以上により、本発明の車載警報装置は反応が速く、操作が簡単でわかりやすく、警報を出す時に安全で信頼でき、同時に、本発明装置はあまりスペースを取らなく、補修が簡単で、実用性が強い。
【００２１】
以上に述べたことは、ただ発明の具体的な実施方式であり、発明の保護範囲はこれに限定されるものではなく、創造的な労働を通さない場合で想到できるすべての変化または入れ替わりはいずれも発明の保護範囲に含むべきである。
【手続補正３】
【補正対象書類名】図面
【補正対象項目名】図３
【補正方法】変更
【補正の内容】
【図３】
2020181549.tif 000008